(57)【要約】本発明は、ＨＶＡＣシステムのＨＶＡＣシステム効率評価のサイクル損失係数を低減させる方法であって、前記ＨＶＡＣシステムの電子膨張弁の記録されている電子膨張弁位置を用いて前記ＨＶＡＣシステムを動作させるステップと、前記ＨＶＡＣシステムの動作を停止させるステップと、前記膨張弁を通過する冷媒の質量流量を前記記録されている電子膨張弁位置での質量流量と比較して増加させることができる電子膨張弁位置を用いて前記ＨＶＡＣシステムの動作を再開させるステップとを含む方法を提供する。【選択図】図１
2013542395.tif 000002
【特許請求の範囲】
【請求項１】
ＨＶＡＣシステムのＨＶＡＣシステム効率評価のサイクル損失係数を低減させる方法であって、
前記ＨＶＡＣシステムの電子膨張弁の記録されている電子膨張弁位置を用いて前記ＨＶＡＣシステムを動作させるステップと、
前記ＨＶＡＣシステムの動作を停止させるステップと、
前記膨張弁を通過する冷媒の質量流量を前記記録されている電子膨張弁位置での質量流量と比較して増加させることができる電子膨張弁位置を用いて前記ＨＶＡＣシステムの動作を再開させるステップとを含む方法。
【請求項２】
請求項１に記載の方法であって、
前記膨張弁を通過する冷媒の質量流量を増加させることができる電子膨張弁位置を用いて前記ＨＶＡＣシステムを動作させる前記ステップが、前記ＨＶＡＣシステムのコンプレッサを少なくとも部分的にフラッディングさせることを含むことを特徴とする方法。
【請求項３】
請求項２に記載の方法であって、
前記フラッディングを約５分間またはそれ以下の期間で発生させるようにしたことを特徴とする方法。
【請求項４】
請求項２に記載の方法であって、
前記ＨＶＡＣシステムの前記電子膨張弁の記録されている電子膨張弁位置を用いて前記ＨＶＡＣシステムを動作させるとともに、前記ＨＶＡＣシステムを記録されている気化温度で動作させることを特徴とする方法。
【請求項５】
請求項４に記載の方法であって、
前記膨張弁を通過する冷媒の質量流量を前記記録されている電子膨張弁位置での質量流量と比較して増加させることができる電子膨張弁位置を用いて前記ＨＶＡＣシステムの動作を再開させる前記ステップの後に、前記ＨＶＡＣシステムの動作の再開後に測定された気化温度に応答して前記電子膨張弁を動作させるステップをさらに含むことを特徴とする方法。
【請求項６】
請求項５に記載の方法であって、
前記測定された気化温度に従って前記電子膨張弁を動作させるとともに、前記ＨＶＡＣシステムの動作の再開後に測定された過熱に応答して前記電子膨張弁を動作させるステップをさらに含むことを特徴とする方法。
【請求項７】
請求項５に記載に記載の方法であって、
前記測定された気化温度に従って前記電子膨張弁を動作させた後に、前記ＨＶＡＣシステムの動作の再開後に測定された過熱に応答して前記電子膨張弁を動作させるステップをさらに含むことを特徴とする方法。
【請求項８】
請求項１に記載の方法であって、
前記膨張弁を通過する冷媒の質量流量を前記記録されている電子膨張弁位置での質量流量と比較して増加させることができる電子膨張弁位置が、前記記録されている電子膨張弁位置に対して最大で約５００％の位置であることを特徴とする方法。
【請求項９】
ＨＶＡＣシステムの電子膨張弁の位置を制御する方法であって、
前記ＨＶＡＣシステムの動作の再開時に、前記電子膨張弁を、以前に記録された電子膨張弁の位置に対する割合に従って動作させるステップを含むことを特徴とする方法。
【請求項１０】
請求項９に記載の方法であって、
前記割合が、１００％よりも大きいかまたは小さいことを特徴とする方法。
【請求項１１】
請求項９に記載の方法であって、
前記割合が、前記ＨＶＡＣシステムのコンプレッサを少なくとも部分的にフラッディングさせるように選択されることを特徴とする方法。
【請求項１２】
請求項１１に記載の方法であって、
前記電子膨張弁を動作させて前記コンプレッサをフラッディングさせる期間が前記コンプレッサに損傷を与える可能性のある期間を下回るように制限すべく、前記電子膨張弁を制御するようにしたことを特徴とする方法。
【請求項１３】
請求項９に記載の方法であって、
前記電子膨張弁を以前に記録された電子膨張弁の位置に対する割合に従って動作させる前記ステップが、以前に記録された気化温度、以前に記録されたガス温度、及び以前に記録された過熱のうちの少なくとも１つを考慮せずに行うようにしたことを特徴とする方法。
【請求項１４】
請求項９に記載の方法であって、
前記電子膨張弁を以前に記録された電子膨張弁の位置に対する割合に従って動作させる前記ステップが、以前に記録された気化温度、及び以前に記録された過熱を考慮せずに行うようにしたことを特徴とする方法。
【請求項１５】
請求項９に記載の方法であって、
前記電子膨張弁を動作させる前に、前記割合を、以前に記録された気化温度、以前に記録されたガス温度、及び以前に記録された過熱のうちの少なくとも１つに応答して経時的に変更するようにしたことを特徴とする方法。
【請求項１６】
請求項１５に記載の方法であって、
前記割合の増加率を、前記ＨＶＡＣシステムを定常状態動作に近づけるのに要する時間に影響を与える前記ＨＶＡＣシステムの設計特性に応じて選択するようにしたことを特徴とする方法。
【請求項１７】
住宅用のＨＶＡＣシステムであって、
電子膨張弁と、
前記電子膨張弁の位置を制御するように構成された制御装置とを含み、
前記制御装置が、実質的な定常状態での動作から停止させた後の前記ＨＶＡＣシステムの動作再開に応答して、前記ＨＶＡＣシステムのコンプレッサをフラッディングさせるべく前記電子膨張弁を制御するように構成されていることを特徴とするシステム。
【請求項１８】
請求項１７に記載の住宅用のＨＶＡＣシステムであって、
前記制御装置が、コンプレッサに損傷を与える前に前記コンプレッサのフラッディングを減少させるようにさらに構成されていることを特徴とするシステム。
【請求項１９】
請求項１８に記載の住宅用のＨＶＡＣシステムであって、
前記制御装置が、測定された気化温度に応答して前記電子膨張弁の位置を制御するようにさらに構成されていることを特徴とするシステム。
【請求項２０】
請求項１９に記載の住宅用のＨＶＡＣシステムであって、
前記制御装置が、測定されたガス温度及び測定された過熱の少なくとも１つに応答して前記電子膨張弁の位置を制御するようにさらに構成されていることを特徴とするシステム。
【発明の詳細な説明】
【技術分野】
【０００１】
本発明は、空気調節装置用の膨張弁の制御システム及び制御方法に関する。
【背景技術】
【０００２】
いくつかの暖房、換気及び空気調節システム（ＨＶＡＣシステム）は、熱機械的な熱膨張弁（ＴＸＶ）を含んでおり、ＴＸＶは、該ＴＸＶの温度検知バルブで検知された温度に応答して、該ＴＸＶを通過する冷媒の量を調節する。ＴＸＶの温度検知バルブは一般的に、蒸発コイルの出口付近に位置するコンプレッサの吸引ライン上に配置される。
【先行技術文献】
【特許文献】
【０００３】
【特許文献１】米国特許出願公開第２００９／００３１７４０Ａ１号明細書
【発明の概要】
【課題を解決するための手段】
【０００４】
本発明のいくつかの実施形態では、ＨＶＡＣシステムの効率評価のサイクル損失係数を低減させる方法を提供する。本発明の方法は、前記ＨＶＡＣシステムの電子膨張弁の記録されている電子膨張弁位置を用いて前記ＨＶＡＣシステムを動作させるステップと、前記ＨＶＡＣシステムの動作を停止させるステップと、前記膨張弁を通過する冷媒の質量流量を前記記録されている電子膨張弁位置での質量流量と比較して増加させることができる電子膨張弁位置を用いて前記ＨＶＡＣシステムの動作を再開させるステップとを含む。
【０００５】
本発明の別の実施形態では、ＨＶＡＣシステムの電子膨張弁の位置を制御する方法が提供される。この方法は、ＨＶＡＣシステムの動作の再開時に、電子膨張弁を、以前に記録された電子膨張弁の位置に対する割合に従って動作させるステップを含む。
【０００６】
本発明のさらなる実施形態では、電子膨張弁と、前記電子膨張弁の位置を制御するように構成された制御装置とを含む住宅用ＨＶＡＣシステムが提供される。前記制御装置は、実質的な定常状態での動作から停止させた後のＨＶＡＣシステムの動作再開に応答して、ＨＶＡＣシステムのコンプレッサをフラッディングさせるべく電子膨張弁を制御するように構成されている。
【図面の簡単な説明】
【０００７】
本発明及びその利点をより良く理解するために、添付図面及び詳細な説明とともに、以下に簡単に説明する。ここで、同様の参照番号は同様の構成要素を示す。
【０００８】
【図１】本発明による、冷房機能を提供するように構成されたＨＶＡＣシステムの簡易概略図である。
【図２】本発明による、暖房機能を提供するように構成されたＨＶＡＣシステムの簡易概略図である。
【図３】ＥＥＶを制御するためのサイクル動作方法を示す簡略化された動作フローチャートである。
【図４】ＥＥＶのサイクル動作プロファイルの表である。
【図５】ＥＥＶの別のサイクル動作プロファイルの表である。
【発明を実施するための形態】
【０００９】
いくつかのＨＶＡＣシステムでは、ＴＸＶは、ＨＶＡＣシステムの定常動作中に測定される性能効率が許容範囲内となるように、冷媒の流れの制御を提供する。しかし、ＴＸＶを有する同じＨＶＡＣシステムは、ＨＶＡＣシステム動作サイクル効率がＨＶＡＣシステム効率を求めるための一因子として用いられる試験中に効率期待値を満たさないおそれがある。いくつかの実施形態では、ＴＸＶを有するＨＶＡＣシステムが効率期待値を満たさないことは、少なくとも一部には、不一致（inconsistent）及び／または予測不可能（unpredictable）条件に従ったＴＸＶ動作の結果であり得る。したがって、ＴＸＶの予測不可能な性能は、ＨＶＡＣシステムの予告不可能な動作につながり、その結果、ＨＶＡＣシステムの動作効率及び／または効率評価の予測が困難なものとなる。ＨＶＡＣシステムの実際の及び／または実験的な効率を高めるために、ＨＶＡＣシステムのサイクル動作中に、膨張弁を予測可能な態様で制御するためのシステム及び方法が求められている。
【００１０】
いくつかのＨＶＡＣシステムは、動作試験を行い、その動作試験の結果に基づいて効率評価を与えることができる。いくつかのＨＶＡＣシステムでは、定常状態動作中だけでなく、サイクル動作（cyclical operation）中も、予測可能な態様で機能することが望ましい。ＴＸＶは本質的に、該ＴＶＸの温度検出バルブで検出された温度に従って動作するので、ＴＸＶを有するいくつかのＨＶＡＣシステムは、サイクル動作中に望ましい予測可能性を提供することができない。いくつかの場合では、不一致環境においては、ＴＸＶの温度検出バルブで検出された温度は、ＨＶＡＣシステムの動作の様々なランダム因子の関数となる。言い換えれば、ＴＸＶを有するＨＶＡＣシステムのサイクル動作中は、ＴＸＶは、第１のセットの動作環境下では冷媒流を第１の態様で制限するが、同じＨＶＡＣシステムの同じＴＸＶは、第２のセットの動作環境下では冷媒流を第２の態様で制限する。そのため、初期動作環境に関わらず、ＨＶＡＣシステムのサイクル動作中に、より効率的な及び／またはより予想可能なＨＶＡＣシステム動作を提供する膨張弁を有するＨＶＡＣシステムが求められている。いくつかの実施形態では、本発明は、好適なＣＤ値（ＣＤは、季節エネルギー効率比（ＳＥＥＲ）の計算に用いられる、一般に知られているサイクル損失係数である）及び高いＨＶＡＣシステムサイクル効率を確実にするために、ＥＥＶの所定の態様の動作を定める「ＥＥＶサイクリングプロファイル（EEV cycling profile）」を提供する。
【００１１】
いくつかのＨＶＡＣシステムは、該システムのより効率的な及び／またはより予測可能な動作を提供するために、電子膨張弁（ＥＥＶ）及び／またはモータ制御式膨張弁を備えている。例えば、参照によりその全体が本明細書に援用される特許文献１には、電子膨張弁３６、３６ａ、３６ｂを有するＨＶＡＣシステム１０、５０、７０（図１、図２、図３）が開示されている。特許文献１には、ＨＶＡＣシステム１０、５０、７０の構成要素及び構造が詳細に開示されており、電子膨張弁３６、３６ａ、３６ｂの制御方法がさらに開示されている。具体的には、電子膨張弁３６、３６ａ、３６ｂの動作及び制御は、電子膨張弁３６、３６ａ、３６ｂ（以降、まとめてＥＥＶと呼ぶ）を制御する様々な段階及び方法を含んでおり、段落番号［００３７］−［００４０］、図５及び７に記載されている。
【００１２】
特許文献１には、ＥＥＶは、ＨＶＡＣシステムの起動時に予め定められた弁運動プロファイルに従って所定の期間に渡って制御され（図５のステップ９８を参照）、その後、ＨＶＡＣシステムの通常動作中は、フィードバック制御モードに従って制御される（図５のステップ１００を参照）ことが記載されている。特許文献１の図７には、時間（秒）と、ＥＥＶの位置（ＥＥＶの初期開始位置に対する開放の割合）との値の表が示されている。したがって、特許文献１には、ＥＥＶが、ＨＶＡＣシステムの起動時に予め定められた弁運動プロファイルに従って所定の期間に渡って制御され、その後、ＥＥＶの位置を制御するために、フィードバックに基づく制御アルゴリズムが段階的に経時的に行われ、それにより、予め定められた弁運動プロファイルの影響を段階的に取り除くことが記載されている。特許文献１は、ＥＥＶ（３６、３６ａ、３６ｂ）を制御及び／または実行するシステム及び方法を提供する。
【００１３】
図１を参照して、本発明の一実施形態によるＨＶＡＣシステム１００の簡易概略図が示されている。最も一般的には、ＨＶＡＣシステム１００は、冷房機能を提供するように構成されており、室外ユニット１０２及び室内ユニット１０４を含む。室外ユニット１０２は、冷媒を選択的に高圧に圧縮するコンプレッサ１０６を含む。圧縮された冷媒はその後、室外熱交換器１０８を経由して、室内ユニット１０４のＥＥＶ１１０へ送られる。冷媒は、ＥＥＶ１１０を通過し、室内熱交換器１１２へ流れる。いくつかの実施形態では、上述した冷媒の流れは、ＨＶＡＣシステム１００の冷房機能に貢献することができる。ＥＥＶ１１０は、ＨＶＡＣシステム１００の制御装置１１４によって制御することができる。
【００１４】
図２を参照して、本発明の一実施形態によるＨＶＡＣシステム２００の簡易概略図が示されている。最も一般的には、ＨＶＡＣシステム２００は、暖房機能を提供するように構成されており、室外ユニット２０２及び室内ユニット２０４を含む。室外ユニット２０２は、冷媒を選択的に高圧に圧縮するコンプレッサ２０６を含む。圧縮された冷媒はその後、室内熱交換器２１２を経由して、室外ユニット２０２のＥＥＶ２１０へ送られる。冷媒は、ＥＥＶ２１０を通過し、室外熱交換器２０８へ流れる。いくつかの実施形態では、上述した冷媒の流れは、ＨＶＡＣシステム２００の暖房機能に貢献することができる。ＥＥＶ２１０は、ＨＶＡＣシステム２００の制御装置２１４によって制御することができる。
【００１５】
図３を参照して、簡略化された動作フローチャートは、より高いＨＶＡＣシステムサイクル動作効率を達成するための、ＥＥＶ（例えば、これに限定しないが、特許文献１のＨＶＡＣシステム１０、５０、７０（図１、２、３）の電子膨張弁３６、３６ａ、３６ｂ）の制御方法を示している。最も一般的には、ＥＥＶは、サイクル動作方法１０００に従って制御することができる。方法１０００は、ＨＶＡＣシステムが、（特許文献１において概略的に定義されたような）定常状態動作に達するため及び「前回の良好な（last good）ＥＥＶ位置」及び「前回の良好な気化温度（ＥＴ）」値を記録するために十分に動作させた後に、動作を再開したときに、ステップ１００２で開始される。最も一般的には、「良好な（good）」ＥＥＶ値及び「良好な」ＥＴ値は、実質的な定常状態におけるＨＶＡＣシステムの動作中に記録された位置及び値である。いくつかの実施形態では、前回の良好なＥＥＶ位置は、ＨＶＡＣシステムの実質的な定常状態での動作中に記録された、前回記録されたＥＥＶ位置であり得る。同様に、いくつかの実施形態では、前回の良好なＥＴ値は、ＨＶＡＣシステムの実質的な定常状態での動作中に記録された、前回記録されたＥＴ値であり得る。さらなる別の実施形態では、方法１０００は、ＨＶＡＣシステムの動作状態が定常状態または実質的な定常状態であるかどうかに関わらず、「前回記録されたＥＥＶ位置」及び「前回記録されたＥＴ値」を単純に記録してもよい。さらに、前回記録されたＥＥＶ位置及び前回記録されたＥＴ値は、いくつかの場合では、「良好な」値で有り得、別の場合では、単純に前回記録された値であり得る。サイクル動作方法１０００は、ステップ１００２から、ステップ１００４のフェーズＩ動作へ進む。
【００１６】
フェーズＩ動作は一般的に、前回記録されたＥＥＶ位置に或る係数を乗算して、ＥＥＶの位置を制御することを含む。多くの実施形態では、前記乗算により得られた、前回記録されたＥＥＶ位置よりも開度が大きい開位置まで、ＥＥＶを開放する。例えば、いくつかの実施形態では、フェーズＩは、前回記録されたＥＥＶ位置に重み因子（例えば、これに限定しないが、１．３）を乗算することを含むことができ、前回記録されたＥＥＶ位置を１００として、ＥＥＶの初期開位置を１３０にすることにより、ＥＥＶを通過する冷媒の質量流量を、前回記録されたＥＥＶ位置での質量流量と比較して増加させることを可能にする。別の実施形態では、フェーズＩに従ったＥＥＶの制御中の或る時点において、前回記録されたＥＥＶ位置を、約１．０〜５．０の範囲の重み因子で乗算する。１．０よりも大きい重み因子を乗算することにより、液体冷媒によるコンプレッサへの様々な度合のフラッディング（flooding）を引き起こすことができることを理解されたい（他の全ての動作変数が実質的に一定に保たれる場合）。この状態は、コンプレッサに流入する液体冷媒に起因してコンプレッサが損傷する可能性を防ぐために、約５分間またはそれ以下の発生時間に限定される。冷媒ガス温度（ＧＴ）は、飽和液体温度または気化温度（ＥＴ）と実質的に同じ値なので、コンプレッサへのフラッディングは、一般的に、コンプレッサに液体冷媒が流入する状態と定義される。ガス温度（ＧＴ）と、飽和液体温度または気化温度（ＥＴ）との差は、過熱（superheat：ＳＨ）と呼ばれる（すなわち、ＳＨ＝ＧＴ−ＥＴ）。いくつかの実施形態では、冷媒によるコンプレッサへのフラッディングは、より高いサイクル動作効率及び／または低減されたＣＤ値を提供する。いくつかの実施形態では、起動時にＥＥＶを通過する冷媒の質量流量を増加させると伝熱率及び関連する吸引圧力を増加させることができ、それにより、ＨＶＡＣシステムを定常状態動作に近づけるために十分に長く動作させる前に、サイクル損失を低減させることができる。
【００１７】
別の実施形態では、フェーズＩ動作（定常状態に実質的に到達する前はＨＶＡＣシステムの動作は中断しない）中の或る時点でＥＥＶが前回記録されたＥＥＶ位置よりも開度が大きい位置まで開く限りは、フェーズＩ動作は、ＥＥＶを、前回記録されたＥＥＶ位置よりも開度が小さい、等しい及び／または大きい位置まで開く任意の組み合わせを含むことができる。フェーズＩ動作の別の必要条件は、フェーズＩ動作の或る時点で、ＥＥＶが、電流及び／または前回記録された気化温度（ＥＴ）、及び／または電流及び／または前回記録されたガス温度（ＧＴ）、及び／または電流及び／または前回記録された過熱値（ＳＨ）と実質的に関係なく制御されることである。フェーズＩ動作後、方法１０００は、ステップ１００６において第２段階の動作を続ける。
【００１８】
フェーズＩＩの動作は、一般的に、測定されたＥＴを、ＥＥＶの位置を制御する因子として組み入れて使用することを含む。最も一般的には、測定されたＥＴを前回の良好なＥＴと比較し、そして、ＥＴ重み因子を乗算する。いくつかの実施形態では、フェーズＩＩ動作が一般的に開始される時点は、特定のＨＶＡＣシステムのＥＴ値が比較的信頼できるようになる実験的に求めた時間、及び／またはＨＶＡＣシステムの動作状態の安定指標（stable indicator）と関連する。いくつかの実施形態では、フェーズＩＩは、前回の良好なＥＴに、０〜約２．０の重み因子を乗算することを含む。フェーズＩＩにおいて前回の良好なＥＴに様々な重み因子を乗算することができるが、フェーズＩＩに従ったＥＥＶの制御中の或る時点において（定常状態に実質的に到達する前はＨＶＡＣシステムの動作は中断しない）、前回記録されたＥＴに或る正または負の重み因子を乗算しなければならない。フェーズＩＩ動作は、方法１０００がステップ１００８のフェーズＩＩＩへ進むまで続く。
【００１９】
最も一般的には、フェーズＩＩＩ動作は、測定されたＥＴ及び測定されたＧＴを、ＥＥＶの位置を制御する因子として組み入れて使用することを含む。いくつかの実施形態では、測定されたＧＴを測定されたＥＴから減算することにより、測定されたＳＨを求める。最も一般的には、測定されたＳＨを、前回記録されたＳＨと比較し、そして、ＳＨ重み因子を乗算する。加えて、測定されたＳＨを、ＳＨ設定値と比較し、そして、ＳＨ重み因子を乗算する。いくつかの実施形態では、フェーズＩＩＩ動作が一般的に開始される時点は、特定のＨＶＡＣシステムのＧＴ値（及びその結果としてＳＨ値）が比較的信頼できるようになる実験的に求めた時間、及び／またはＨＶＡＣシステムの動作状態の安定指標と関連する。いくつかの実施形態では、フェーズＩＩＩは、前回記録されたＳＨに、０〜約１．０の重み因子を乗算することを含む。フェーズＩＩＩにおいて前回記録されたＳＨに様々な重み因子を乗算することができるが、フェーズＩＩＩに従ったＥＥＶの制御中の或る時点において（定常状態に実質的に到達する前はＨＶＡＣシステムの動作は中断しない）、前回記録されたＳＨに或る正または負の重み因子を乗算しなければならない。フェーズＩＩＩの動作は、方法１０００がステップ１０１０へ進み終了するまで続く。いくつかの実施形態では、フェーズＩＩＩ動作は、ＨＶＡＣシステムが、空間を要求温度に調節する要求を満たしたとき（すなわち、サーモスタットにより要求された温度を満たしたとき）に終了する。いくつかの実施形態では、フェーズＩＩＩ動作は、ＳＨフィードバック制御が完全制御モード（特許文献１に示したような）であり、方法１０００が排除されたときに終了する。方法１０００は、空間の温度が、要求される温度から十分に逸脱したときに、ＨＶＡＣシステムを再びサイクルオンにするために再開することができる。
【００２０】
図４を参照すると、サイクル動作プロファイルの一例が示されている。図４は、制御装置（例えば、これに限定しないが、制御装置１１４及び２１４）によってサイクルがＯＮであると判断されてからの時間を示す列と、前回記録されたＥＥＶ位置を乗算するのに用いられるＥＥＶ位置重み因子の列と、ＥＴ重み因子の列と、ＳＨ重み因子の列とを含む表である。図４のサイクル動作プロファイルは、時間０〜２０のときに、ＥＥＶ位置が、前回記録されたＥＥＶ位置の１３０％となるように制御されることを示す。次に、図４は、時間２０〜１００のときに、ＥＥＶ位置が、前回記録されたＥＥＶ位置の１３０％から前回記録されたＥＥＶ位置の１００％まで徐々に変更されるように制御される。時間０〜１００のときの動作は、ＥＴ及びＳＨを無視しているので（０．０の重み因子が関連付けられている）、フェーズ１動作と見なすことができる。
【００２１】
次に、図４は、時間１００〜１３０のときに、ＥＥＶ位置重み因子を１．０に保つとともに、ＥＴ重み因子を０〜０．５へ徐々に増加させる。このように、時間１００〜１３０のときは、測定されたＥＴにより、重み因子０．５まで、ＥＥＶの位置に漸増的に影響を与える。この期間中は、ＳＨ重み因子は０に保つ。いくつかの実施形態では、ＥＥＶの位置の設定に、測定されたＥＴを用いるが、測定されたＧＴ及び／または測定されたＳＨは用いないので、時間１００〜１３０の期間はフェーズＩＩ動作と呼ばれる。
【００２２】
次に、図４は、時間１３０〜１５０のときに、ＥＥＶ位置重み因子を１．０に保つとともに、ＥＴ重み因子を０．５から１．０へ徐々に増加させ、かつ、ＳＨ重み因子を０から１．０へ徐々に増加させることを示す。このように、時間１３０〜１５０のときは、測定されたＥＴにより、重み因子１．０まで、ＥＥＶ位置に漸増的に影響を与え、かつ、測定されたＳＨにより、重み因子１．０まで、ＥＥＶ位置に漸増的に影響を与える。いくつかの実施形態では、ＥＥＶ位置の設定に、測定されたＧＴ及び／または測定されたＳＨに加えて、測定されたＥＴが用いられるので、時間１３０〜１５０の期間はフェーズＩＩＩ動作と呼ばれ、時間１５０でトータルフィードバック制御に到達する。
【００２３】
いくつかの実施形態では、トータルフィードバック制御を達成する（ＥＥＶ位置、ＥＴ、ＳＨの重み因子が各々１．０となる）のに要する時間は、各々について、最大で約５分間またはそれ以上である。さらに、ＥＥＶ位置重み因子の割合の１または複数を減少または増加させるときの割合、ＥＴ重み因子を減少または増加させるときの割合、ＳＨ重み因子を減少または増加させるときの割合は、一般的に、実質的に類似するＨＶＡＣシステムのトン数（tonnage）が変更されたとき、または、定常状態に近づけるまたは到達するのに必要とされる時間に影響を与える任意の他のＨＶＡＣシステム設計因子が変更されたときに、増加または減少させることができることに留意されたい。言い換えれば、トン数及び／またはキャパシティが互いに異なるＨＶＡＣシステムでは、冷媒回路を介して循環される冷媒の流量が互いに異なる傾向があるため、そのような互いに異なるＨＶＡＣシステムでは、定常状態及び／または略定常状態動作に到達するまでの時間が比較的異なる傾向にある。
【００２４】
図５を参照すると、サイクル動作プロファイルの別の例が示されている。図５は、制御装置（例えば、これに限定しないが、制御装置１１４及び２１４）によってサイクルがＯＮであると判断されてからの時間を示す列と、前回記録されたＥＥＶ位置を乗算に用いられるＥＥＶ位置の重み因子の列と、ＥＴ重み因子の列と、ＳＨ重み因子の列とを含む表である。図５のサイクル動作プロファイルは、時間０〜６０のときに、ＥＥＥが、ＥＥＶ位置が前回記録されたＥＥＶ位置の１１０％から、前回記録されたＥＥＶ位置の１０５％となるように徐々に変更されるように制御されることを示す。時間０〜６０のときの動作は、ＥＴ及びＳＨが無視されているので（０．０の重み因子が関連付けられている）、フェーズ１動作と見なすことができる。
【００２５】
次に、図５は、時間６０〜９０のときに、ＥＥＶ位置重み因子を、前回記録したＥＥＶ位置の１０５％から１００％へ徐々に変更し、かつ、ＥＴ重み因子を０から０．５へ徐々に変更する。このように、時間６０〜９０のときは、測定されたＥＴにより、重み因子０．５まで、ＥＥＶ位置に漸増的に影響を与える。この期間中は、ＳＨ重み因子も、０から０．５へ徐々に変更する。このように、時間６０〜９０の期間では、測定されたＳＨは、０．５の重み因子まで、ＥＥＶ位置に漸増的に影響を与える。この実施形態では、測定されたＧＴ及び／または測定されたＳＨを除外するために、測定されたＥＴはＥＥＶの位置を設定するのに用いないので、時間６０〜９０の期間は、フェーズＩＩＩ動作の一部と呼ぶことができる。別の言い方をすれば、測定されたＥＴ及び測定されたＳＨが、フェーズＩ動作の後に同時にかつ即座に用いられるので、図５のサイクル動作プロファイルは、フェーズＩＩ動作を含まない。時間９０〜１０５の期間は、ＥＥＶ位置重み因子は変更しないが、ＥＴ及びＳＨの各重み因子を、０．５から１．０へ徐々に増加させる。時間９０〜１０５の期間はフェーズＩＩＩ動作と呼ばれ、時間１０５でトータルフィードバック制御に到達する。
【００２６】
例えば図４及び図５で提供された時間値及び様々な重み因子は、ＨＶＡＣシステムの実際の動作を通じて及び／またはＨＶＡＣシステムのシミュレートされた動作を通じて実験的に求めることができることを理解されたい。いくつかの実施形態では、ＨＶＡＣシステムの定常状態は、まずは、ＨＶＡＣシステムを連続的に少なくとも約６０分間動作させることにより得られ、その後は、ＨＶＡＣシステムの動作を単純に継続することによって性能のさらなる大幅な向上が得られないと想定される。ＨＶＡＣシステムを定常状態で動作させている間に、ＥＥＶ位置、ＥＴ値、ＧＴ値、及びＳＨ値を記録する。その後、ＨＶＡＣシステムを停止し、周囲環境に長時間曝すことにより、ＥＴ値、ＧＴ値、ＳＨ値、並びに他のＨＶＡＣシステムの温度及び圧力が実質的に等しくされた動作前の状態に戻す。その後、ＨＶＡＣシステムを再スタートし、ＥＥＶ位置、ＥＴ値、ＧＴ値、及びＳＨ値をモニタし、どの経過時間で定常状態動作が最初に達成されるか（すなわち、ＥＥＶ位置、ＥＴ値、ＧＴ値、及びＳＨ値の各々が、以前に測定された定常状態値に到達するとき）を求める。一部の例では、ＥＴ値は、ＧＴ値及び／またはＳＨ値より先に、許容可能値に達する。したがって、正確な定常状態ＥＴ値に合理的に関連するＥＴ重み因子について実験的に求めた時間は、ＥＴ値を、ＥＥＶ位置の制御因子として重み付けするのを開始する時間として用いることができる。同様に、定常状態ＧＴ値及び／または定常状態ＳＨ値に合理的に関連するＧＴ値及び／またはＳＨ重み因子について実験的に求めた時間は、ＧＴ値及び／または定常状態ＳＨ値を、ＥＥＶ位置の制御因子として重み付けするのを開始する時間として用いることができる。さらに、いくつかの実施形態では、ＥＥＶ位置に割り当てられる重みは、一部には、定常状態動作中の正確なＥＥＶ位置の実験的な決定、及び／または、定常状態動作点を上回る及び下回ることのなくＨＶＡＣシステムの正確な動作吸引圧力を実現することに基づく。起動時に定常状態吸引圧力に徐々に近づけ、かつ定常状態吸引圧力を下回らないようにすることにより、サイクル効率を高めることができる。
【００２７】
上述したＥＥＶ制御システム及び方法は、低減したＣＤ値に起因してＨＶＡＣシステムがより効率的に動作することができる及び／またはより高い効率評価を受けることができるように、ＨＶＡＣシステムの一致したサイクル動作を提供することができる。さらに、上述した一致した動作は、上述した方法及び／またはアルゴリズムを用いて決定することができ、ＥＥＶ機能及び／または動作を制御するソフトウェアを通じて実施することができる。そしてさらに、いくつかの実施形態では、上述したシステム及び方法は、「前回記録した値（last recorded values）」以外にも、「以前に記録した値（previously recorded values）」または「記録された値（recorded values）」を用いることもできる。言い換えれば、いくつかの実施形態では、各種の位置及び／または値の記録時間において厳密には最後に記録したものではない、記録されたＥＥＶ位置、記録されたＥＴ値、記録されたＧＴ値、及び記録されたＳＨ値を、本明細書で説明したシステム及び方法に用いることができる。
【００２８】
少なくとも１つの実施形態を開示したが、当業者によりなされる前記実施形態及び／または前記実施形態の構成要素の変形例、組み合わせ、及び／または変更例も本開示の範囲に含まれるものとする。前記実施形態の構成要素の結合、統合及び／または省略により得られる別の実施形態も、本開示の範囲に含まれるものとする。数値の範囲または限界が明示的に示されているが、このような明示的範囲または限界は、明示的に示された範囲または限界内に入る同様の大きさの反復範囲または限界を含むものと理解されたい（例えば、約１から約１０は、２、３、４などを含み、０．１０より大きいとは、０．１１、０．１２、０．１３などを含む）。例えば、下限Ｒｌと上限ＲＵとを有する数値範囲が示されている場合、その範囲内に入る任意の数字が具体的に記載される。特に、前記範囲内の以下の数字が具体的に記載される。Ｒ＝Ｒｌ＋ｋ＊（Ｒｕ−Ｒｌ）ただし、ｋは、１パーセントから１００パーセントまでの可変範囲である。すなわち、ｋは、１パーセント、２パーセント、３パーセント、４パーセント、５パーセント、…５０パーセント、５１パーセント、５２パーセント、…９５パーセント、９６パーセント、９７パーセント、９８パーセント、９９パーセント、または１００パーセントである。さらに、上記に定義されたような２つの数字Ｒによって定義される任意の数値範囲も具体的に開示される。特許請求の範囲の任意の要素に関して「任意選択」という用語を使用することは、主題の要素が必要とされるか、または必要とされないことを意味する。両方の選択肢が特許請求の範囲に入るものとする。備える、含む、有するなどの広義の用語の使用は、〜からなる、本質的に〜からなる、実質的に〜からなるなどの狭義の用語についてのサポートを提供すると理解するべきである。したがって、保護の範囲は、上記の記載によって限定されず、特許請求の範囲によってのみ限定され、その範囲は、特許請求の範囲の構成要件の全ての等価物を含む。各請求項及び全請求項は、さらなる態様として本明細書中に組み込まれ、その請求項は、本発明の一実施形態である。
【図１】
2013542395.tif 000003
【図２】
2013542395.tif 000004
【図３】
2013542395.tif 000005
【図４】
2013542395.tif 000006
【図５】
2013542395.tif 000007
【国際調査報告】
2013542395.tif 000008
2013542395.tif 000009
2013542395.tif 000010
2013542395.tif 000011